(57)【要約】【課題】ホログラムの特性、すなわち、肉眼で認識できると共に偽造が困難であるという特性を生かしつつ、これに加えて、肉眼で認識できず、特有の判定用具を使用することによって初めて認識できる画像を有する転写箔と、これを使用した偽造防止物品とを提供すること。【解決手段】転写箔基材１上に剥離容易にホログラム層を設け、このホログラム層上に接着層７を形成する。そして、ホログラム層と接着層７との間に、可視光を透過して赤外線を吸収する赤外線吸収層６をパターン状に設けてホログラム転写箔とする。この転写箔で転写すると、自然光や室内照明光の下でホログラム画像が肉眼で観察できるが、赤外線吸収層を観察することはできない。一方、赤外線カメラで撮影すると、ホログラム画像と赤外線吸収層の両者を撮影できる。【選択図】図１
2018077335.tif 000002
【特許請求の範囲】
【請求項１】
転写箔基材上に剥離容易にホログラム層を有し、このホログラム層上に接着層を有するホログラム転写箔において、
前記ホログラム層と接着層との間に、可視光を透過して赤外線を吸収する赤外線吸収層をパターン状に有することを特徴とするホログラム転写箔。
【請求項２】
前記ホログラム層がパターン状であることを特徴とする請求項１に記載のホログラム転写箔。
【請求項３】
物品本体の上に接着層を介してホログラム層を有する偽造防止物品において、
前記接着層とホログラム層との間に、可視光を透過して赤外線を吸収する赤外線吸収層をパターン状に有することを特徴とする偽造防止物品。
【発明の詳細な説明】
【技術分野】
【０００１】
本発明はホログラムを転写する転写箔と、この転写箔を使用して製造した偽造防止物品に関するものである。
【背景技術】
【０００２】
周知のように、有価証券、各種証明書、ブランド品、個人認証媒体等は、その偽造が困難であることが必要である。そこで、これら物品には、例えば、ホログラム転写箔を使用してその表面にホログラムを付与することによりその偽造を防いでいる（特許文献１参照）。ホログラムは光学レベルの微細構造を利用して回折光で特有の画像を表示するもので、この微細構造を解析したり、複製することが困難であり、このため、このホログラムの有無により、前記各種物品の真偽を判定し得るのである。
【０００３】
ところで、ホログラムの画像は肉眼で認識できる。一方、肉眼でその存否が認識できず、特有の判定用具を使用して、その真偽を判定する技術もある。例えば、液晶分子を一定方向に配列して画像とし、この方向とは直交する方向に液晶分子を配向させて背景としたものである（特許文献２参照）。この偽造防止媒体においては、偏光フィルムを前記判定用具として使用し、この偏光フィルムを特定の角度で重ねることにより、前記画像が可視化する。この偏光フィルムを重ねない場合にはこの画像を認識することができず、したがって、その存在を認識することもできない。また、別の角度で偏光フィルムを重ねた場合には、ポジネガが反転した画像を認識できる。
【先行技術文献】
【特許文献】
【０００４】
【特許文献１】特開２０１１−２２７３６８号公報
【特許文献２】特開２００１−１１３９００号公報
【発明の概要】
【発明が解決しようとする課題】
【０００５】
本発明は、ホログラムの特性、すなわち、肉眼で認識できると共に偽造が困難であるという特性を生かしつつ、これに加えて、肉眼で認識できず、特有の判定用具を使用することによって初めて認識できる画像を有する転写箔と、これを使用した偽造防止物品とを提供することを目的とする。
【課題を解決するための手段】
【０００６】
すなわち、請求項１に記載の発明は、転写箔基材上に剥離容易にホログラム層を有し、このホログラム層上に接着層を有するホログラム転写箔において、
前記ホログラム層と接着層との間に、可視光を透過して赤外線を吸収する赤外線吸収層をパターン状に有することを特徴とするホログラム転写箔である。
【０００７】
次に、請求項２に記載の発明は、前記ホログラム層がパターン状であることを特徴とする請求項１に記載のホログラム転写箔である。
【０００８】
次に、請求項３に記載の発明は、物品本体の上に接着層を介してホログラム層を有する偽造防止物品において、
前記接着層とホログラム層との間に、可視光を透過して赤外線を吸収する赤外線吸収層をパターン状に有することを特徴とする偽造防止物品である。
【発明の効果】
【０００９】
本発明の転写箔は、例えば有価証券等の物品にホログラム層と共に赤外線吸収層を転写して使用する。こうして得られた物品の上には、自然光や室内照明光の下でも肉眼で認識できるホログラム画像が形成されており、それ自体偽造が困難である。
【００１０】
また、これに加えて、この物品上には、可視光を透過して赤外線を吸収する赤外線吸収層がパターン状に設けられている。この赤外線吸収層のパターンを自然光の下で肉眼で認識することは不可能である。一方、例えば赤外線カメラを判定用具として使用すると、この赤外線吸収層のパターンを検出できる。
【００１１】
このため、自然光のもとで認識できるホログラム画像と、赤外線カメラで検出できる前記パターンの両方が揃ったとき、その物品を真正なものと判定し、これらのいずれかが欠けている物品を偽造品と判定することが可能である。
【図面の簡単な説明】
【００１２】
【図１】図１は本発明の転写箔の具体例に係り、図１（ａ）はその平面図、図１（ｂ）は断面説明図である。
【図２】図２は本発明の転写箔の具体例の製造工程を示す断面説明図である。
【図３】図３は本発明の偽造防止物品の具体例の断面説明図である。
【図４】図４は本発明の偽造防止物品の具体例に係り、図４（ａ）は自然光又は室内照明光のもとで肉眼観察したときに観察できる画像を示す平面説明図、図４（ｂ）は赤外線カメラで撮影したときに撮影される画像を示す平面説明図である。
【図５】図５は実施例で使用した赤外線吸収剤の吸光度を示すグラフ図である。
【発明を実施するための形態】
【００１３】
以下、図面を参照して本発明の具体例を説明する。図１は本発明の転写箔の具体例に係り、図１（ａ）はその平面図、図１（ｂ）は断面説明図である。
【００１４】
これらの図１（ａ）及び（ｂ）に示すように、この転写箔１０は、転写箔基材１上に、剥離層２、ホログラム形成層３、光反射層４、マスク層５、赤外線吸収層６、接着層７をこの順に積層して構成されたものである。
【００１５】
転写箔基材１は任意のフィルムでよい。例えば、ポリ塩化ビニル、ポリカーボネート、ポリメタクリル酸メチル、ポリスチレン、ポリエチレン、ポリエチレンテレフタレート、ポリエチレンナフタレート、ポリプロピレン、ポリビニルアルコール等の合成樹脂、天然樹脂、紙、合成紙などから単独で選択されたもの、または上記より選択されて組み合わされた複合体が使用可能である。
【００１６】
また、剥離層２としては、容易に転写箔基材１から剥がれる材料であれば、熱可塑性樹脂、熱硬化性樹脂、紫外線あるいは電子線硬化性樹脂のいずれであっても良いが、柔軟性、箔切れ性を考慮し、熱可塑性樹脂が好ましい。その例として、熱可塑性ポリアクリル酸エステル樹脂、塩化ゴム系樹脂、塩化ビニル−酢酸ビニル共重合樹脂、セルロース系樹脂、塩素化ポリプロピレン系樹脂、エポキシ系樹脂、ポリエステル系樹脂、ニトロセルロース系樹脂、スチレンアクリレート系樹脂、ポリエーテル系樹脂、ポリカーボネート系樹脂等を、単独あるいは複合して用いることができる。また、箔切れ性や耐摩耗性を考慮し、石油系ワックス、植物系ワックス等の各種ワックス、ステアリン酸等の高級脂肪酸の金属塩、シリコンオイル等の滑剤や、テフロン（登録商標）パウダー、ポリエチレンパウダー、シリコーン系微粒子やアクリルニトリル系微粒子等の有機フィラーおよび、シリカ微粒子等の無機フィラーを添加することもできる。なお、剥離層２は転写箔基材１自体が剥離性を有している場合、あるいは転写箔基材１自体に離型処理を施してある場合は設ける必要はない。
【００１７】
次に、ホログラム形成層３は光反射層４と共にホログラム層を構成するものである。すなわち、ホログラム形成層３の表面には光学レベルの微細な凹凸が形成されており、この凹凸で位相型回折格子を構成している。そして、光反射層４はこの凹凸に沿って設けられており、このため、その表面にもホログラム形成層３表面の凹凸と同様の凹凸が設けられており、この光反射層４表面の凹凸も位相型回折格子を構成している。そして、ホログラム形成層２と光反射層３との境界面に入射した光は光反射層３で反射されて反射回折光を構成し、ホログラム特有の画像を表示するのである。
【００１８】
このホログラム形成層４の材質としては、熱可塑性樹脂、熱硬化性樹脂、放射線硬化性樹脂等の光透過性樹脂を使用することができる。
【００１９】
光透過性熱可塑性樹脂としては、例えば、ポリエチレンテレフタレート、ポロエチレンナフタレート、ポリカーボネート、酢酸セルロース、酢酸酪酸セルロース、酢酸プロピオン酸セルロース、ニトロセルロース、ポリエチレン、ポリプロピレン、アクリルスチレン共重合体、塩化ビニル、ポリメタクリル酸メチル等を挙げることができる。
【００２０】
光透過性熱硬化性樹脂としては、例えば、ポリイミド、ポリアミド、ポリエステルウレタン、アクリルウレタン、エポキシウレタン、シリコーン、エポキシ樹脂及びメラミン樹脂等を挙げることができる。
【００２１】
放射線硬化性樹脂は、紫外線や電子線等の放射線の照射で硬化する樹脂である。このよに放射線照射でラジカル重合して硬化する樹脂としては、その代表的な例として、分子中にアクリロイル基を有するアクリル樹脂が例示できる。例えば、エポキシアクリレート系、ウレタンアクリレート系、ポリエステルアクリレート系もしくはポリオール系アクリレート系のオリゴマーもしくはポリマー、単官能、２官能又は多官能重合性（メタ）アクリル系モノマー（例えば、テトラヒドロフルフリルアクリレート、２−ヒドロキシエチルアクリレート、２−ヒドロキシ−３−フェノキシプロピルアクリレート、ポリエチレングリコールジアクリレート、トリメチロールプロパントリアクリレート、ペンタエリスリトールトリアクリレート又はペンタエリスリトールテトラアクリレート）又はそのオリゴマーもしくはポリマーである。
【００２２】
そして、これらの樹脂で形成した層の表面に、微細な前記凹凸を形成したプレス板を押し付けることにより、ホログラム形成層４を形成することができる。
【００２３】
次に、光反射層４は、金属又は高屈折率の透明材料を、ホログラム形成層３の前記凹凸に沿って堆積することによって形成することができる。金属としては、例えば、アルミニウム、錫、クロム、ニッケル、銅、金及びこれらの合金等を使用できる。高屈折率透明材料としては、ＴｉＯ２、ＺｎＳ等を例示できる。これらは、例えば、真空蒸着法、スパッタリング法等の方法でホログラム形成層３の前記凹凸に沿って堆積することができる。厚みは１〜１００ｎｍの範囲であることが望ましい。
【００２４】
なお、この光反射層４はホログラム形成層３の表面全面に設けることもできるが、その一部にパターン状に設けることも可能である。図１（ａ）及び（ｂ）に示す転写箔１０は、光反射層３を星パターン形状に部分的に設けたものである。
【００２５】
このように光反射層４をパターン状に設けるためには、例えば、このパターンと同一形状のマスク層５を光反射層４上に積層し、このマスク層５をエッチングレジストとして、マスク層５からはみ出して露出した部位の光反射層４をエッチングして除去すればよい。マスク層５としては可視光や赤外光を透過する透明樹脂を使用することが望ましい。この
マスク層５は、例えば、グラビア印刷法等で形成することができる。
【００２６】
また、別の方法で光反射層４をパターン状に加工することも可能である。すなわち、ホログラム形成層３の表面に、水溶性樹脂を前記パターンのネガパターンに塗布し、この水溶性樹脂パターンを覆ってホログラム形成層３の表面の全面に光反射層４を形成する。次いで水洗して水溶性樹脂パターンと共に、この水溶性樹脂パターンに重なった部位の光反射層４を除去することにより、パターン状の光反射層４を形成することができる。水溶性樹脂としてはポリビニルアルコールを使用できる。また、グラビア印刷法等によって水溶性樹脂パターンを設けることができる。
【００２７】
あるいは、ホログラム形成層３の表面の全面に光反射層４を形成した後、この光反射層５にレーザー光を照射して、この照射部分の光反射層４を選択的に破壊除去することによってパターン状の光反射層４を形成することも可能である。
【００２８】
次に、赤外線吸収層６は可視光を透過して赤外線を吸収するもので、パターン状に設ける必要がある。この例では、図１（ａ）に示すように、十字状のパターンに設けられており、その一部は光反射層４に重ねられている。なお、この赤外線吸収層６は可視光を透過するため、自然光や室内照明光の下で肉眼で観察しても、その十字状パターンを認識することはできない。一方、赤外線カメラで撮影すると、十字状パターンが黒く撮影される。
【００２９】
この赤外線吸収層６は、赤外線吸収材を含む透明インキで印刷して設けることができる。赤外線吸収材としては、例えば、シアニン系、フタロシアニン系、アゾ系、および、チオアミド系などの有機金属錯体、ジイミニウム系、アントラキノン系、ポリメチン系、アズレニウム系、スクワリリウム系、および、チオピリリウム系などの有機系赤外線吸収材を使用することができる。
【００３０】
接着層７の材質としては熱可塑性樹脂が好ましくアクリル樹脂、エポキシ樹脂、ポリエステル樹脂、ビニル系樹脂等の単体あるいは共重合体を、単独もしくは複合して使用可能であるが、これらに限定されるものではない。また、ブロッキングの防止および箔切れ性を考慮し、石油系ワックス、植物系ワックス等の各種ワックス、ステアリン酸等の高級脂肪酸の金属塩、シリコンオイル等の滑剤や、テフロン（登録商標）パウダー、ポリエチレンパウダー、シリコーン系微粒子やアクリルニトリル系微粒子等の有機フィラーおよび、シリカ微粒子等の無機フィラーを添加することもできる。
【００３１】
この転写箔１０は、図２に示すような工程を経て製造することができる。すなわち、まず、転写箔基材１上に剥離層２を形成し、この剥離層２上にホログラム形成層３を形成し、その表面をプレス板でプレスして、微細な凹凸を形成する（図２（ａ）参照）。次に、ホログラム形成層３の凹凸表面の全面に光反射層４を設ける（図２（ｂ）参照）。次に、光反射層４上にパターン状にマスク層５を形成する（図２（ｃ）参照）。そして、このマスク層５をエッチングレジストとして、光反射層４を部分的にエッチングして除去する（図２（ｄ）参照）。次に赤外線吸収層６を形成し（図２（ｅ）参照）、最後に、接着層７を設けて転写箔１０を得ることができる。
【００３２】
この転写箔１０は次のように使用することができる。すなわち、任意の物品に対して、接着層７がこの物品に向き合うように重ね、押圧又は熱圧して接着させた後、転写箔基材１を剥離除去することにより、ホログラム層と赤外線吸収層６とを同時に転写することができる。図３はこうして得られた偽造防止物品２０の断面説明図で、この図から分かるように、物品本体２１上に、接着層７、赤外線吸収層６、マスク層５、光反射層４、ホログラム形成層３、剥離層２がこの順に積層されて構成されている。なお、光反射層４は星パターン形状を有しており、赤外線吸収層６は十字形状を有していて、この両者はその一部
で互いに重ね合わされている。なお、光反射層４とホログラム形成層３とは、この両者でホログラム層を構成していることは前述のとおりである。
【００３３】
そして、この偽造防止物品２０を自然光又は室内照明光のもとで肉眼で観察したときには、図４に示すように、赤外線吸収層６は認識できず、光反射層４のホログラム画像を観察することができる。一方、赤外線カメラで撮影したときには、図５に示すように、赤外線吸収層６は黒く撮影され、光反射層４のホログラム画像は明るく撮影される。なお、赤外線吸収層６と光反射層４とが重なった部位では、光反射層４の厚みが薄いことから、光反射層５の星型ホログラム画像と赤外線吸収層６の十字形状の画像とは重なって撮影される。
【実施例】
【００３４】
転写箔基材１としてポリエチレンテレフタレートフィルムを使用し、この片面にアクリル系樹脂をグラビアコーティングして剥離層２を形成した。次に、この剥離層２上に、ウレタン系２液硬化性樹脂をグラビアコーティングしてその層を形成した後、その表面に、微細な凹凸を有するプレス板を押圧して、この凹凸を前記硬化性樹脂層表面に形成した。なお、押圧は２００℃に加熱して行った。そして、この硬化性樹脂層を硬化させて、ホログラム形成層３を形成した。
【００３５】
次に、このホログラム形成層３の凹凸表面の全面にアルミニウムを真空蒸着して光反射層４を形成した。光反射層４の厚みは５０ｎｍである。
【００３６】
そして、この光反射層４表面に透明樹脂を星パターン形状に印刷してマスク層５を形成し、このマスク層５をエッチングレジストとして、光反射層４を部分的にエッチングして除去して、星パターン形状の光反射層４を形成した。
【００３７】
次に、赤外線吸収層６を十字形状にグラビア印刷して形成した。赤外線吸収層６は、その一部が星パターン形状の光反射層４に重なるように配置した。この赤外線吸収層６の印刷に使用したインキの組成は次のとおりである。また、その厚みは１．８μｍである。
【００３８】
インキ組成
塩化ビニル−酢酸ビニル共重合樹脂              １００質量部
トルエン                                      １５０質量部
メチルエチルケトン                            ２５０質量部
赤外線吸収剤                                      ３質量部
【００３９】
なお、この赤外線吸収剤を、それぞれ、３％、５％、１０％添加したインキ被膜の吸光度を図５に示す。この図から分かるように、この赤外線吸収剤は、可視領域（波長７００ｎｍ以下）の光をほとんど吸収することなく透過し、波長がこれ以上の赤外領域においては、波長が長くなるにつれて吸光度が増加する。そして、波長１１００〜１２００ｎｍの間に吸光度のピークを有している。
【００４０】
次に、これら赤外線吸収層６、マスク層５、ホログラム形成層３の全体を被覆して、接着層７を設けることにより、ホログラム転写箔１０を製造した。接着層７を構成する接着剤としては、塩化ビニル−酢酸ビニル共重合樹脂を主成分として、これにシリカフィラーを配合したものである。接着層７はグラビアグラビアコーティング法によって形成した。その厚みは２μｍである。
【００４１】
こうして得られた転写箔１０を合成紙２１に重ね、転写箔１０側から熱転写板を押圧し、次に転写箔基材１を剥離除去して転写した。熱転写板は表面温度１８０℃の真鍮版である。
【００４２】
こうして転写された合成紙２０を室内照明光のもとで肉眼観察したところ、星パターン形状のホログラム画像が鮮やかに観察できた。なお、赤外線吸収層６の十字形状パターンは観察できなかった。
【００４３】
次に、この合成紙２０を赤外線カメラで撮影したところ、星パターン形状のホログラム画像は黒色に撮影され、赤外線吸収層６の十字形状パターンが黒又は薄い黒色に撮影された。なお、これらホログラム画像と十字形状パターンとが重なった部位では、両者が重畳して黒色に観察された。
【符号の説明】
【００４４】
１０：ホログラム転写箔
１：転写箔基材    ２：剥離層    ３：ホログラム形成層    ４：光反射層    ５：マスク層    ６：赤外線吸収層    ７：接着層
２０：偽造防止物品    ２１：物品本体
【図１】
2018077335.tif 000003
【図２】
2018077335.tif 000004
【図３】
2018077335.tif 000005
【図４】
2018077335.tif 000006
【図５】
2018077335.tif 000007